(57)【要約】  情報記録再生装置（１００）は、対物レンズ（４ｂ）を有し、レーザ光によりテープ状媒体に情報を記録し又はテープ状媒体上の情報を再生する光ピックアップ（４）と、テープ状媒体を対物レンズ（４ｂ）に対向するように装着するテープ装着部（５）と、テープ状媒体がクリーニングテープ（３）であることを検知する制御部（１０）と、制御部（１０）の検知に応じて、テープ状媒体と対物レンズ（４ｂ）とを接触させるように動作する移動機構（４１）と、テープ状媒体と対物レンズ（４ｂ）とを接触させた状態で、テープ状媒体の繰出しを実行する第１駆動  機構（６１）と、を備える。情報記録再生装置（１００）は、テープ状の媒体であっても、光ピックアップ（４）のクリーニングを行うことを可能にする。
2013011621.tif 000002
【特許請求の範囲】
【請求項１】
テープ状媒体に対し光学的に情報を記録及び再生する情報記録再生装置であって、
対物レンズを有し、レーザ光によりテープ状媒体に情報を記録し又はテープ状媒体上の情報を再生する光ピックアップと、
テープ状媒体を前記対物レンズに対向するように装着するテープ装着部と、
前記テープ状媒体がクリーニングテープであることを検知する制御部と、
前記制御部の検知に応じて、前記テープ状媒体と前記対物レンズとを接触させるように動作する移動機構と、
前記テープ状媒体と前記対物レンズとを接触させた状態で、前記テープ状媒体の繰出しを実行する第１駆動機構と、
を備える、情報記録再生装置。
【請求項２】
前記移動機構は、前記対物レンズを移動させることにより、前記テープ状媒体と前記対物レンズとを接触させる、
請求項１に記載の情報記録再生装置
【請求項３】
前記移動機構は、前記テープ装着部を移動させることにより、前記テープ状媒体と前記対物レンズとを接触させる、
請求項１に記載の情報記録再生装置
【請求項４】
前記移動機構は、前記テープ状媒体と前記対物レンズとを接触させる位置と前記テープ状媒体に対する情報記録再生可能な位置との間を、前記対物レンズ又は前記テープ装着部の少なくとも一方を移動させる、
請求項１に記載の情報記録再生装置。
【請求項５】
前記移動機構は、前記テープ状媒体が前記対物レンズとの接触により撓むまで前記テープ状媒体と前記対物レンズとを接触させる、
請求項１に記載の情報記録再生装置。
【請求項６】
請求項１記載の情報記録再生装置の前記光ピックアップの対物レンズに接触することにより前記対物レンズをクリーニングするクリーニングテープ。
【請求項７】
少なくともテープ表面の素材が不織布で形成されている、
請求項６に記載のクリーニングテープ。
【請求項８】
対物レンズを有しテープ状媒体に対し光学的に情報を記録及び再生する光ピックアップを備える情報記録再生装置を用いて、前記対物レンズをクリーニングする光ピックアップクリーニング方法であって、
テープ状媒体がクリーニングテープであることを検知し、
前記テープ状媒体を前記対物レンズに対向するように装着させ、
前記検知に応じて、前記テープ状媒体と前記対物レンズとを接触させる動作を行い、
前記テープ状媒体と前記対物レンズとを接触させた状態で、前記テープ状媒体の繰出しを行う、
光ピックアップクリーニング方法。
【発明の詳細な説明】
【技術分野】
【０００１】
本発明は、テープ状の情報記録再生装置に関し、特に情報記録読み出し素子（以下、光ピックアップと称する）のクリーニングに関する。
【背景技術】
【０００２】
従来、光ディスク装置に用いられ、光ピックアップの汚れを除去する目的のクリーニングディスクが知られている。光ディスク装置においては、光ピックアップと媒体は非接触である。よって、クリーニングディスクとしては、例えばブラシの様な立体的な物をディスク上に配置し、汚れを掻き落とすものが用いられていた（例えば、特許文献１）。
一方、近年、コンピュータや、インターネットの益々の発達に伴い、取り扱うデータ量が爆発的に増大しており、バックアップに用いられる記録装置の大容量化が求められている。このような大容量の情報記録再生装置として、テープ状媒体に光ディスクの様な光学信号を記録し再生するテープストリーマが注目されている。
【先行技術文献】
【特許文献】
【０００３】
【特許文献１】特開昭６０−４０５３７号公報
【発明の概要】
【発明が解決しようとする課題】
【０００４】
しかし、テープ状の媒体の場合は、カセット内部に巻き取る必要がある。このため、テープ上にブラシ等の突起物を配置すると、テープの巻き取りの際に突起物がテープに押し当てられてテープ面を傷めたり、或いは巻き取り自体に支障が出るおそれがある。
よって、テープ状の媒体を用いたテープストリーマにおいては、テープ上にブラシ等の立体的な物を配置することができず、クリーニング部材と光ピックアップの対物レンズを接触させるような構成を採用して光ピックアップをクリーニングすることができなかった。【０００５】
本出願に開示された技術は、上記課題を解決するものであり、テープ状の媒体であっても、光ピックアップのクリーニングを行うことを可能にするものである。
【課題を解決するための手段】
【０００６】
上記課題を解決するために、本出願に開示された技術の第１の観点によれば、テープ状媒体に対し光学的に情報を記録及び再生する情報記録再生装置であって、光ピックアップと、テープ装着部と、制御部と、移動機構と、第１駆動機構とを備える情報記録再生装置が提供される。光ピックアップは、対物レンズを有し、レーザ光によりテープ状媒体に情報を記録し又はテープ状媒体上の情報を再生する。テープ装着部は、テープ状媒体を対物レンズに対向するように装着する。制御部は、テープ状媒体がクリーニングテープであることを検知する。移動機構は、制御部の検知に応じて、テープ状媒体と対物レンズとを接触させるように動作する。第１駆動機構は、テープ状媒体と対物レンズとを接触させた状態で、テープ状媒体の繰出しを実行する。【０００７】
第２の観点によれば、上記情報記録再生装置の光ピックアップの対物レンズに接触することにより、対物レンズをクリーニングするクリーニングテープが提供される。
第３の観点によれば、対物レンズを有しテープ状媒体に対し光学的に情報を記録及び再生する光ピックアップを備える情報記録再生装置を用いて、対物レンズをクリーニングする光ピックアップクリーニング方法が提供される。同クリーニング方法においては、テープ状媒体がクリーニングテープであることを検知し、テープ状媒体を対物レンズに対向するように装着させ、上記検知に応じて、テープ状媒体と対物レンズとを接触させる動作を行い、テープ状媒体と対物レンズとを接触させた状態で、テープ状媒体の繰出しを行う。
【発明の効果】
【０００８】
上述のように本出願に開示された技術によれば、テープ状の媒体であっても、光ピックアップのクリーニングを行うことを可能にするものである。
【図面の簡単な説明】
【０００９】
【図１】実施形態１に係るテープ状媒体を用いた光ピックアップが搭載された情報記録再生装置の一例を概略的に示す平面図
【図２】実施形態１のクリーニングカセットの一例を概略的に示す斜視図
【図３】同情報記録再生装置を概略的且つ模式的に示す側面図
【図４】同情報記録再生装置のコントローラの機能構成図
【図５】実施形態１に係る情報記録再生装置のコントローラによる処理を示すフローチャート
【図６Ａ】実施形態１のテープ状媒体に対する、光ピックアップの記録再生時の配置を示す図
【図６Ｂ】実施形態１のテープ状媒体に対する、光ピックアップのクリーニング時の配置を示す図
【図７Ａ】実施形態２のテープ状媒体に対する、光ピックアップの記録再生時の配置を示す図
【図７Ｂ】実施形態２のテープ状媒体に対する、光ピックアップのクリーニング時の配置を示す図
【図８】同情報記録再生装置のコントローラの機能構成図
【図９】同情報記録再生装置のコントローラによる処理を示すフローチャート
【発明を実施するための形態】
【００１０】
以下に、本発明の実施の形態について、図面を参照しながら説明する。
１  実施形態１
１．１  情報記録再生装置１００の構成
図１は、本実施形態に係る情報記録再生装置１００の一例の模式図である。情報記録再生装置１００には、光ピックアップにより情報の再生及び記録が可能なテープ状媒体がセットされる。情報記録再生装置１００（情報記録再生装置の一例）は、焦点制御アクチュエータ４ａや対物レンズ４ｂ（対物レンズの一例）等を備える光ピックアップ４（光ピックアップの一例）、複数のガイドローラ５、巻取リール６、及びカセット装着部８（図３）を備える。
【００１１】
光ピックアップ４は、巻取リール６にローディングされガイドローラ５間を繰り出されるテープに対峙するように配置されている。光ピックアップ４は、レーザ光源（図示省略）からのレーザ光を対物レンズ４ｂを介してテープに照射し、テープ上の情報の再生及び記録動作を行う。光ピックアップ４はまた、焦点制御アクチュエータ４ａを駆動させて焦点制御等を行う。更に、本実施形態においては、後述するように、光ピックアップ４は、焦点制御アクチュエータ４ａをテープに対し移動させて、クリーニング動作を実行する。
【００１２】
ガイドローラ５は、図１に示すように、巻取リール６に架設されたテープが繰り出され、テープを装着し案内するように配置されている。巻取リール６は、カセットから繰り出されるテープを巻き取る。
カセット装着部８（図３）は、カセットを装着する部分であり、後述するように装着されたカセットがクリーニングカセット１かどうかを検知する検知機構９を有する。
【００１３】
通常の記録再生動作においては、情報記録再生装置１００は、記録再生用テープカセットが装着され、テープが巻取リール６に架設されると、ユーザ操作に応じてテープが巻取リール６の回転により繰り出される。そして、光ピックアップ４における対物レンズ４ｂを介してレーザ光が照射され、テープ上の情報を再生したり、テープに情報を記録したりする。
【００１４】
図２は、本実施形態において用いられるクリーニングカセット１の一例を示す模式図である。クリーニングカセット１は、クリーニングカセット１内に設置され、クリーニングテープ３（クリーニングテープの一例）が巻き付けられた繰出リール２と、クリーニングカセットであることを識別するための識別孔７とを有する。クリーニングテープ３は、不織布で構成される。
【００１５】
クリーニングカセット１は、通常の記録再生用テープカセットと同様に、情報記録再生装置１００のカセット装着部に装着され、テープが巻取リール６に架設されると、ユーザ操作に応じてテープが巻取リール６の回転により繰り出される。一方、後述するクリーニング動作を完了すると、テープが繰出リール２の回転により巻き戻される。
図３は、情報記録再生装置１００を概略的且つ模式的に示す側面図であり、クリーニングカセット１が装着された状態を示す。同図に示すように、情報記録再生装置１００のカセット装着部分８には、検知機構９が設けられる。検知機構９は、装着されたカセット方向に出没可能に構成されたピン部９ａを有する。ピン部９ａは、例えば、バネ等の弾性部材（図示省略）により図面上方（つまり、装着されたカセット方向に）に付勢されている。検知機構９は、例えば、光学センサや接触センサ等を含み、ピン部９ａの移動を検知して、装着されたカセットがクリーニングカセット１かどうかを検知する。情報記録再生装置１００は更に、コントローラ１０を備える。なお、図３に示すコントローラ１０は説明を容易にするために概念的に示したものであり、その位置は情報記録再生装置１００に設けられていればいずれの位置に設けられていてもよい。
【００１６】
クリーニングカセット１が情報記録再生装置１００に装着されると、ピン部９ａがクリーニングカセット１の識別孔７内に挿入される。この場合、ピン部９ａは移動しないため、検知機構９は、所定時間（例えば、カセットの装着検知後の所定時間）ピン部９ａの移動を検知せず、これにより所定の信号をコントローラ１０に送信する。
一方、通常の記録再生用テープカセット（図示省略）が装着される場合、通常の記録再生用テープカセットは識別孔を有しないため、装着されたテープカセットによりピン部９ａが付勢に抗して図面下方（つまり、装着されたカセットとは離れる方向）に押される。検知機構９は、ピン部９ａのこの移動を検知し、その検知信号をコントローラ１０に送信する。
【００１７】
なお、本実施形態は上記例に限定されない。例えば、通常の記録再生用テープカセットに識別孔を設けて、クリーニングカセット１には識別孔を設けないようにしてもよい。
図４は、本実施形態に係るクリーニング動作を実行するためのコントローラ１０の構成を示す。コントローラ１０（制御部の一例）は、検知機構９からの信号に応じてクリーニングカセットの装着を検知するクリーニングカセット装着検知部１１と、クリーニングカセット装着検知部１１からの信号に応じてクリーニング動作を実行するための制御指令を行うクリーニング動作制御部１２と、テープの巻取り動作を制御するテープ巻取り制御部１３とを有する。
【００１８】
クリーニングカセット装着検知部１１は、検知機構９からの所定の信号に基づき、装着されたカセットがクリーニングカセット１であることを検知する。
クリーニング動作制御部１２は、クリーニングカセット装着検知部１１による検知に応じ、光ピックアップ移動機構４１に対し光ピックアップ４の移動を指令する。具体的には、クリーニング動作制御部１２は、光ピックアップ移動機構４１により光ピックアップ４の焦点制御アクチュエータ４ａをクリーニングテープ３に対し近づく方向に移動させるよう制御する。クリーニング動作制御部１２はまた、テープ巻取り制御部１３からの信号に応じて光ピックアップ移動機構４１に対して光ピックアップの移動を指令する。具体的には、クリーニング動作制御部１２は、光ピックアップ移動機構４１により光ピックアップ４の焦点制御アクチュエータ４ａをクリーニングテープ３から離れる方向に移動させるよう制御する。
【００１９】
テープ巻取り制御部１３は、ユーザからの操作やクリーニング動作制御部１２からの指令信号に応じて、巻取リール駆動機構６１や繰出リール駆動機構２１を駆動させ、巻取リール６や繰出リール２を回転させる。テープ巻取り制御部１３はまた、ユーザからの操作や巻取リール駆動機構６１からの指令信号に応じて、クリーニング動作制御部１２に対し巻取リールの駆動停止（テープの繰り出し完了）を通知する。
【００２０】
光ピックアップ移動機構４１（移動機構の一例）は、クリーニング動作制御部１２の指令信号に応じて、光ピックアップ４を移動させる。具体的には、光ピックアップ４の焦点制御アクチュエータ４ａは、図６Ａに示すように、ガイドローラ５に架設されたクリーニングテープ３に対し接離方向に移動可能に構成されている。
巻取リール駆動機構６１（第１駆動機構の一例）は、テープ巻取り制御部１３の指令信号に応じて、巻取リール６をテープを繰り出す方向（ここでは、カセットのテープを巻取リール６により巻き取る方向）に回転させる。
繰出リール駆動機構２１（第２駆動機構の一例）は、テープ巻取り制御部１３の指令信号に応じて、繰出リール２をテープを巻き戻す方向（ここでは、巻取リール６のテープを繰出リール２に巻き取る方向）に回転させる。
【００２１】
コントローラ１０は、ＣＰＵ及びプログラム等を格納するメモリを含み、上記各部による動作を実行する。なお、コントローラ１０は、情報記録再生装置１００の他の動作処理（例えば、情報記録再生動作）を実行するためのプログラムを含んでいてもよい。
１．２  情報記録再生装置１００によるクリーニング動作
光ピックアップ４のクリーニング動作は、情報記録再生装置１００において情報が正しく記録再生できなかった場合等に実施される。情報記録再生装置１００からのクリーニング要求等を受けてユーザは、クリーニングカセット１を情報記録再生装置１００に装着する。図５は、カセットの装着が完了後クリーニング動作を行うまでの主にコントローラ１０による処理を示す。
【００２２】
ステップＳ１０１：上述の通り、クリーニングカセット１に設けられた識別孔７に対する検知機構９の検知動作により、検知機構９から所定の信号が送信され、クリーニングカセット装着検知部１１により、クリーニングカセット１が装着されたことが検知される。
なお、情報記録再生装置１００は、クリーニングカセット１の装着後、クリーニングテープ３を巻取リール６にまでローディングする。
【００２３】
ステップＳ１０２：クリーニングカセット装着検知部１１による検知に応じて、クリーニング動作制御部１２は、光ピックアップ移動機構４１を駆動する。具体的には、焦点制御アクチュエータ４ａは、図６Ｂに示す位置までクリーニングテープ３に近づく方向に移動する。そして、対物レンズ４ｂが焦点制御アクチュエータ４ａから突き出され、不織布で構成されたクリーニングテープ３に対物レンズ４ｂを接触させる。このとき、クリーニングテープ３が対物レンズ４ｂとの接触により多少撓むまで接触させることが望ましい。これにより、対物レンズ４ｂとクリーニングテープ３との接触面が大きくなるため、対物レンズ４ｂのクリーニングがより効果的に行われる。
【００２４】
ステップＳ１０３：クリーニング動作制御部１２により、光ピックアップ移動機構４１による焦点制御アクチュエータ４ａの移動が検知される。クリーニング動作制御部１２は、焦点制御アクチュエータ４ａが図６Ｂに示す位置まで至ったことを検知すると、移動を停止させる。
ステップＳ１０４：テープ巻取り制御部１３により、巻取リール駆動機構６１を駆動させ、巻取リール６を回転駆動させてテープの繰り出しを開始する。なお、この回転駆動は、ユーザ操作により開始してもよいし、クリーニング動作制御部１２によりステップＳ１０３の焦点制御アクチュエータ４ａの移動が検知されて自動的に開始してもよい。この繰出し動作により、クリーニングテープ３は対物レンズ４ｂに接触しながら繰り出され、対物レンズ４ｂの表面が摩擦によりクリーニングされる。
【００２５】
ステップＳ１０５：クリーニング動作制御部１２は、テープ巻取り制御部１３からの信号により、テープの繰出しが完了したか、或いは巻取り途中でユーザ操作によりテープ繰出しが停止されたかどうかを判定する。
ステップＳ１０６：テープ繰出しが完了した場合又はテープ繰出しが停止された場合は、クリーニング動作制御部１２からの指令信号に応じて、光ピックアップ移動機構４１が駆動される。具体的には、焦点制御アクチュエータ４ａは、図６Ａに示す位置までクリーニングテープ３から離れる方向に移動する。また、このとき、クリーニング動作制御部１２からの指令信号に応じて、テープ巻取り制御部１３は繰出リール駆動機構２２１を回転駆動させ、巻取リール６に一時的に巻き取られたクリーニングテープ３を繰出リール２に巻き戻す。そして、ユーザ操作によりクリーニングカセット１を排出する動作を行い、クリーニング動作が完了する。
１．３  実施形態１の特徴
以上のように、本実施形態においては、情報記録再生装置１００において、コントローラ１０によってテープがクリーニングテープ３であることを検知し、その検知に応じてクリーニングテープ３と対物レンズ４ｂとを接触させるまでピックアップ移動機構４１を移動させ、クリーニングテープ３と対物レンズ４ｂとを接触させた状態で巻取リール駆動機構６１によりクリーニングテープ３の繰出しを実行し、クリーニング動作が行われる。これにより、植毛等の立体的な構造物をクリーニングテープ上に設ける必要がない。従って、レンズ側に突出物を備えないテープ状のクリーニングテープであっても、光ピックアップ４のクリーニングが可能となる。
２  実施形態２
以下、実施形態２に係る情報記録再生装置によるクリーニング動作について説明する。図７Ａ及び図７Ｂに示すように、実施形態２においては、光ピックアップではなく光ピックアップに対峙するテープを架設したガイドローラを光ピックアップ方向に移動させる機構を有する点において、実施形態１と異なる。
【００２６】
以下の説明においては、実施形態１と同様の構成及び機能については詳細な説明を省略し、同じ図面及び同じ符号を参照する。実施形態２に係る情報記録再生装置は、図１〜３に示す情報記録再生装置１００と同様の構成であるが、光ピックアップ移動機構を備えず、ガイドローラ移動機構を備える点において、異なる。
２．１  情報記録再生装置１００の構成
図８は、本実施形態に係るクリーニング動作を実行するためのコントローラ２１０の構成を示す。コントローラ２１０（制御部の一例）は、検知機構９からの信号に応じてクリーニングカセットの装着を検知するクリーニングカセット装着検知部２１１と、クリーニングカセット装着検知部２１１からの信号に応じてクリーニング動作を実行するための制御指令を行うクリーニング動作制御部２１２と、テープの巻取り動作を制御するテープ巻取り制御部２１３とを有する。
【００２７】
クリーニングカセット装着検知部２１１は、検知機構９からの所定の信号に基づき、装着されたカセットがクリーニングカセット１であることを検知する。
クリーニング動作制御部２１２は、クリーニングカセット装着検知部２１１による検知に応じ、ガイドローラ移動機構２５１（移動機構の一例）に対しガイドローラ５の移動を指令する。なお、ガイドローラ移動機構２５１は、複数のガイドローラ５のうち少なくとも光ピックアップ４に対峙する位置にあるガイドローラ（図７Ａ及び図７Ｂでは二つ）を移動させる機構であればよい。具体的には、クリーニング動作制御部２１２は、ガイドローラ駆動機構２５１を駆動して、図７Ｂに示すように、光ピックアップ４に対峙するクリーニングテープ３を架設した二つのガイドローラ５（テープ装着部の一例）を光ピックアップ４に近づく方向に移動させる。この移動により、図７Ｂに示すように、光ピックアップ４の対物レンズ４ｂが不織布で構成されたクリーニングテープ３に接触する。
【００２８】
なお、図７Ａ及び図７Ｂに示すように、二つのガイドローラ５間には、テープを挟んで光ピックアップ４の反対側に、テープを案内するための案内板２５３（例えば、放熱板）が設けられている場合がある。クリーニング動作においては、案内板２５３は移動せずガイドローラ５のみ移動させ、ガイドローラ移動後対物レンズ４ｂが案内板２５３に衝突しないようにする。
【００２９】
クリーニング動作制御部２１２はまた、テープ巻取り制御部２１３からの信号に応じてガイドローラ移動機構２５１に対して上記ガイドローラ５の移動を指令する。具体的には、クリーニング動作制御部２１２は、ガイドローラ移動機構２５１によりガイドローラ５をテープ３から離れる方向に移動させるよう制御する。
テープ巻取り制御部２１３は、ユーザからの操作やクリーニング動作制御部２１２からの指令信号に応じて、巻取リール駆動機構２６１や繰出リール駆動機構２２１を駆動させ、巻取リール６や繰出リール２を回転させる。テープ巻取り制御部２１３はまた、ユーザからの操作や巻取リール駆動機構２６１からの指令信号に応じて、クリーニング動作制御部２１２に対し巻取リールの駆動停止（テープの繰り出し完了）を通知する。
【００３０】
ガイドローラ移動機構２５１は、例えばスライド機構を含み、クリーニング動作制御部２１２の指令信号に応じて、ガイドローラ５を移動させる。具体的には、光ピックアップ４に対峙するクリーニングテープ３を架設した二つのガイドローラ５を光ピックアップ４に近づく方向に移動させる。
巻取リール駆動機構２６１（第１駆動機構の一例）は、テープ巻取り制御部２１３の指令信号に応じて、巻取リール６をテープを繰り出す方向（ここでは、カセットのテープを巻取リール６により巻き取る方向）に回転させる。
繰出リール駆動機構２２１（第２駆動機構の一例）は、テープ巻取り制御部２１３の指令信号に応じて、繰出リール２をテープを巻き戻す方向（ここでは、巻取リール６のテープを繰出リール２に巻き取る方向）に回転させる。
【００３１】
コントローラ２１０は、ＣＰＵ及びプログラム等を格納するメモリを含み、上記各部による動作を実行する。なお、コントローラ２１０は、情報記録再生装置１００の他の動作処理（例えば、情報記録再生動作）を実行するためのプログラムを含んでいてもよい。
２．２  情報記録再生装置１００によるクリーニング動作
図９は、カセットの装着が完了後クリーニング動作を行うまでの主にコントローラ２１０による処理を示す。
【００３２】
ステップＳ２０１：実施形態１と同様に、クリーニングカセット１に設けられた識別孔７に対する検知機構９の検知動作により、検知機構９から所定の信号が送信され、クリーニングカセット装着検知部２１１により、クリーニングカセット１が装着されたことが検知される。
なお、情報記録再生装置１００は、クリーニングカセット１の装着後、クリーニングテープ３を巻取リール６にまでローディングする。
【００３３】
ステップＳ２０２：クリーニングカセット装着検知部２１１による検知に応じて、クリーニング動作制御部２１２は、ガイドローラ移動機構２５１を駆動する。具体的には、二つのガイドローラ５を、図６Ｂに示す位置までクリーニングテープ３に近づく方向に移動させる。そして、光ピックアップ４の対物レンズ４ｂが、不織布で構成されたクリーニングテープ３に接触する。このとき、クリーニングテープ３が対物レンズ４ｂとの接触により多少撓むまで接触させることが望ましい。これにより、対物レンズ４ｂとクリーニングテープ３との接触面が大きくなるため、対物レンズ４ｂのクリーニングがより効果的に行われる。
【００３４】
ステップＳ２０３：クリーニング動作制御部２１２により、ガイドローラ移動機構２５１によるガイドローラ５の移動が検知される。クリーニング動作制御部２１２は、ガイドローラ５が図６Ｂに示す位置まで至ったことを検知すると、移動を停止させる。
ステップＳ２０４：テープ巻取り制御部２１３により、巻取リール駆動機構２６１を駆動させ、巻取リール６を回転駆動させてテープの繰り出しを開始する。なお、この回転駆動は、ユーザ操作により開始してもよいし、クリーニング動作制御部２１２によりステップＳ２０３のガイドローラ５の移動が検知されて自動的に開始してもよい。この繰出し動作により、クリーニングテープ３は対物レンズ４ｂに接触しながら繰り出され、対物レンズ４ｂの表面が摩擦によりクリーニングされる。
【００３５】
ステップＳ２０５：クリーニング動作制御部２１２は、テープ巻取り制御部２１３からの信号により、テープの繰出しが完了したか、或いは巻取り途中でユーザ操作によりテープ繰出しが停止されたかどうかを判定する。
ステップＳ２０６：テープ繰出しが完了した場合又はテープ繰出しが停止された場合は、クリーニング動作制御部２１２からの指令信号に応じて、ガイドローラ移動機構２５１が駆動される。具体的には、ガイドローラ５は、図７Ａに示す位置までクリーニングテープ３から離れる方向に移動する。また、このとき、クリーニング動作制御部２１２からの指令信号に応じて、テープ巻取り制御部２１３は繰出リール駆動機構２２１を回転駆動させ、巻取リール６に一時的に巻き取られたクリーニングテープ３を繰出リール２に巻き戻す。そして、ユーザ操作によりクリーニングカセット１を排出する動作を行い、クリーニング動作が完了する。
２．３  実施形態２の特徴
以上のように、本実施形態に係る情報記録再生装置１００において、コントローラ２１０によってテープがクリーニングテープ３であることを検知し、その検知に応じてクリーニングテープ３と対物レンズ４ｂとを接触させるまでガイドローラ移動機構２５１を移動させ、クリーニングテープ３と対物レンズ４ｂとを接触させた状態で巻取リール駆動機構２６１によりクリーニングテープ３の繰出しを実行し、クリーニング動作が行われる。これにより、植毛等の立体的な構造物をクリーニングテープ上に設ける必要がない。従って、レンズ側に突出物を備えないテープ状のクリーニングテープ３であっても、光ピックアップ４のクリーニングが可能となる。
【００３６】
また、本実施形態においては、テープを挟んで光ピックアップ４の反対側に、テープを案内するための案内板２５３（例えば、放熱板）が設けられている場合であっても、クリーニング動作においては案内板２５３は移動させずガイドローラ５のみ移動させる。これにより、ガイドローラ移動後対物レンズ４ｂが案内板２５３に衝突しないため、クリーニング動作中に光ピックアップ４の対物レンズ４ｂを傷つけることを防止できる。
２．４  実施形態２の変形例
上記実施形態においては、ガイドローラ駆動機構２５１は、光ピックアップ４に対向するようにクリーニングテープ３を架設した二つのガイドローラ５を光ピックアップ４に近づく方向に移動させる構成を有するが、これに限定されない。例えば、クリーニングテープ３を架設した他のガイドローラ５を共にスライド移動させる構成であってもよいし、巻取リール６の装着部分やカセット装着部分を含めた部分の一部又は全部をスライド移動させる構成であってもよい。
３  その他実施形態
以上のように、実施形態１及び２について説明してきたが、本発明は上記の実施形態に限定されないのは勿論である。本発明の趣旨を逸脱しない範囲で実施変更することができる。例えば、次のようなバリエーションが考えられる。
【００３７】
上記実施形態においては、一つの光ピックアップを有する情報記録再生装置について説明したが、光ピックアップの数は２以上であってもよく、チャンネル数、トラック数を制限するものではない。
また、クリーニングテープ３の素材は不織布を用いたが、これに限定するものではない。研磨テープや他のクリーニング方式を用いても良い。
【００３８】
また、クリーニングカセット１の識別には認識穴を用いたが、これに限定するものではなく、メモリーインカセットの信号に応じた識別方法、光学的に読み取り可能な識別情報による識別等、他の識別方法を用いてもよい。或いは、ユーザ操作による情報入力によりクリーニングカセットであることを識別させるものであってもよい。
また、上記実施形態においては、クリーニングカセット１を装着してクリーニング動作を行っていたが、これに限定されない。例えば、通常の記録再生用のテープの繰り出し始め部分又は繰り出し最後の部分に所定長のクリーニングテープ部分を形成し、通常の記録再生動作を行う前又は後にクリーニングできるようにしてもよい。この場合、例えば、光ピックアップ４側でクリーニングテープ部分を検知後、上記実施形態と同様に焦点制御アクチュエータ４ａ又はガイドローラ５を移動させるようにしてもよい。
【００３９】
また、情報再生記録装置１００は、実施形態１及び実施形態２の双方を採用したものであってもよい。つまり、情報再生記録装置１００は、光ピックアップ４の移動機構及びガイドローラ移動機構２５１の双方を備えるものであってもよい。
【産業上の利用可能性】
【００４０】
本発明は、例えばサーバー等のデータをバックアップするテープストリーマに適用する情報記録再生装置の光ピックアップのクリーニングに有用である。また、テープ状のクリーニングテープに有用である。
【符号の説明】
【００４１】
１      クリーニングカセット
２      繰出リール
３      クリーニングテープ（クリーニングテープの一例）
４      光ピックアップ（光ピックアップの一例）
４ａ    焦点制御アクチュエータ
４ｂ    対物レンズ（対物レンズの一例）
５      ガイドローラ（テープ装着部の一例）
６      巻取リール
７      識別孔
８      カセット装着部
９      検知機構
１０    コントローラ（制御部の一例）
１１    クリーニングカセット装着検知部
１２    クリーニング動作制御部
１３    テープ巻取り制御部
２１    繰出リール駆動機構（第２駆動機構の一例）
４１    光ピックアップ移動機構（移動機構の一例）
６１    巻取リール駆動機構（第１駆動機構の一例）
２１０  コントローラ（制御部の一例）
２１１  クリーニングカセット装着検知部
２１２  クリーニング動作制御部
２１３  テープ巻取り制御部
２２１  繰出リール駆動機構（第２駆動機構の一例）
２５１  ガイドローラ移動機構（移動機構の一例）
２５３  案内板
２６１  巻取リール駆動機構（第１駆動機構の一例）
【図１】
2013011621.tif 000003
【図２】
2013011621.tif 000004
【図３】
2013011621.tif 000005
【図４】
2013011621.tif 000006
【図５】
2013011621.tif 000007
【図６Ａ】
2013011621.tif 000008
【図６Ｂ】
2013011621.tif 000009
【図７Ａ】
2013011621.tif 000010
【図７Ｂ】
2013011621.tif 000011
【図８】
2013011621.tif 000012
【図９】
2013011621.tif 000013
【手続補正書】
【提出日】平成25年12月19日(2013.12.19)
【手続補正１】
【補正対象書類名】明細書
【補正対象項目名】全文
【補正方法】変更
【補正の内容】
【発明の詳細な説明】
【技術分野】
【０００１】
本発明は、テープ状の情報記録再生装置に関し、特に情報記録読み出し素子（以下、光ピックアップと称する）のクリーニングに関する。
【背景技術】
【０００２】
従来、光ディスク装置に用いられ、光ピックアップの汚れを除去する目的のクリーニングディスクが知られている。光ディスク装置においては、光ピックアップと媒体は非接触である。よって、クリーニングディスクとしては、例えばブラシの様な立体的な物をディスク上に配置し、汚れを掻き落とすものが用いられていた（例えば、特許文献１）。
一方、近年、コンピュータや、インターネットの益々の発達に伴い、取り扱うデータ量が爆発的に増大しており、バックアップに用いられる記録装置の大容量化が求められている。このような大容量の情報記録再生装置として、テープ状媒体に光ディスクの様な光学信号を記録し再生するテープストリーマが注目されている。
【先行技術文献】
【特許文献】
【０００３】
【特許文献１】特開昭６０−４０５３７号公報
【発明の概要】
【発明が解決しようとする課題】
【０００４】
しかし、テープ状の媒体の場合は、カセット内部に巻き取る必要がある。このため、テープ上にブラシ等の突起物を配置すると、テープの巻き取りの際に突起物がテープに押し当てられてテープ面を傷めたり、或いは巻き取り自体に支障が出るおそれがある。
よって、テープ状の媒体を用いたテープストリーマにおいては、テープ上にブラシ等の立体的な物を配置することができず、クリーニング部材と光ピックアップの対物レンズを接触させるような構成を採用して光ピックアップをクリーニングすることができなかった。
【０００５】
本出願に開示された技術は、上記課題を解決するものであり、テープ状の媒体であっても、光ピックアップのクリーニングを行うことを可能にするものである。
【課題を解決するための手段】
【０００６】
上記課題を解決するために、本出願に開示された技術の第１の観点によれば、テープ状媒体に対し光学的に情報を記録及び再生する情報記録再生装置であって、光ピックアップと、テープ装着部と、制御部と、移動機構と、第１駆動機構とを備える情報記録再生装置が提供される。光ピックアップは、対物レンズを有し、レーザ光によりテープ状媒体に情報を記録し又はテープ状媒体上の情報を再生する。テープ装着部は、テープ状媒体を対物レンズに対向するように装着する。制御部は、テープ状媒体がクリーニングテープであることを検知する。移動機構は、制御部の検知に応じて、テープ状媒体と対物レンズとを接触させるように動作する。第１駆動機構は、テープ状媒体と対物レンズとを接触させた状態で、テープ状媒体の繰出しを実行する。
【０００７】
第２の観点によれば、上記情報記録再生装置の光ピックアップの対物レンズに接触することにより、対物レンズをクリーニングするクリーニングテープが提供される。
第３の観点によれば、対物レンズを有しテープ状媒体に対し光学的に情報を記録及び再生する光ピックアップを備える情報記録再生装置を用いて、対物レンズをクリーニングする光ピックアップクリーニング方法が提供される。同クリーニング方法においては、テープ状媒体がクリーニングテープであることを検知し、テープ状媒体を対物レンズに対向するように装着させ、上記検知に応じて、テープ状媒体と対物レンズとを接触させる動作を行い、テープ状媒体と対物レンズとを接触させた状態で、テープ状媒体の繰出しを行う。
【発明の効果】
【０００８】
上述のように本出願に開示された技術によれば、テープ状の媒体であっても、光ピックアップのクリーニングを行うことを可能にするものである。
【図面の簡単な説明】
【０００９】
【図１】実施形態１に係るテープ状媒体を用いた光ピックアップが搭載された情報記録再生装置の一例を概略的に示す平面図
【図２】実施形態１のクリーニングカセットの一例を概略的に示す斜視図
【図３】同情報記録再生装置を概略的且つ模式的に示す側面図
【図４】同情報記録再生装置のコントローラの機能構成図
【図５】実施形態１に係る情報記録再生装置のコントローラによる処理を示すフローチャート
【図６Ａ】実施形態１のテープ状媒体に対する、光ピックアップの記録再生時の配置を示す図
【図６Ｂ】実施形態１のテープ状媒体に対する、光ピックアップのクリーニング時の配置を示す図
【図７Ａ】実施形態２のテープ状媒体に対する、光ピックアップの記録再生時の配置を示す図
【図７Ｂ】実施形態２のテープ状媒体に対する、光ピックアップのクリーニング時の配置を示す図
【図８】同情報記録再生装置のコントローラの機能構成図
【図９】同情報記録再生装置のコントローラによる処理を示すフローチャート
【発明を実施するための形態】
【００１０】
以下に、本発明の実施の形態について、図面を参照しながら説明する。
１  実施形態１
１．１  情報記録再生装置１００の構成
図１は、本実施形態に係る情報記録再生装置１００の一例の模式図である。情報記録再生装置１００には、光ピックアップにより情報の再生及び記録が可能なテープ状媒体がセットされる。情報記録再生装置１００（情報記録再生装置の一例）は、焦点制御アクチュエータ４ａや対物レンズ４ｂ（対物レンズの一例）等を備える光ピックアップ４（光ピックアップの一例）、複数のガイドローラ５、巻取リール６、及びカセット装着部８（図３）を備える。
【００１１】
光ピックアップ４は、巻取リール６にローディングされガイドローラ５間を繰り出されるテープに対峙するように配置されている。光ピックアップ４は、レーザ光源（図示省略）からのレーザ光を対物レンズ４ｂを介してテープに照射し、テープ上の情報の再生及び記録動作を行う。光ピックアップ４はまた、焦点制御アクチュエータ４ａを駆動させて焦点制御等を行う。更に、本実施形態においては、後述するように、光ピックアップ４は、焦点制御アクチュエータ４ａをテープに対し移動させて、クリーニング動作を実行する。
【００１２】
ガイドローラ５は、図１に示すように、巻取リール６に架設されたテープが繰り出され、テープを装着し案内するように配置されている。巻取リール６は、カセットから繰り出されるテープを巻き取る。
カセット装着部８（図３）は、カセットを装着する部分であり、後述するように装着されたカセットがクリーニングカセット１かどうかを検知する検知機構９を有する。
【００１３】
通常の記録再生動作においては、情報記録再生装置１００は、記録再生用テープカセットが装着され、テープが巻取リール６に架設されると、ユーザ操作に応じてテープが巻取リール６の回転により繰り出される。そして、光ピックアップ４における対物レンズ４ｂを介してレーザ光が照射され、テープ上の情報を再生したり、テープに情報を記録したりする。
【００１４】
図２は、本実施形態において用いられるクリーニングカセット１の一例を示す模式図である。クリーニングカセット１は、クリーニングカセット１内に設置され、クリーニングテープ３（クリーニングテープの一例）が巻き付けられた繰出リール２と、クリーニングカセットであることを識別するための識別孔７とを有する。クリーニングテープ３は、不織布で構成される。
クリーニングカセット１は、通常の記録再生用テープカセットと同様に、情報記録再生装置１００のカセット装着部に装着され、テープが巻取リール６に架設されると、ユーザ操作に応じてテープが巻取リール６の回転により繰り出される。一方、後述するクリーニング動作を完了すると、テープが繰出リール２の回転により巻き戻される。
【００１５】
図３は、情報記録再生装置１００を概略的且つ模式的に示す側面図であり、クリーニングカセット１が装着された状態を示す。同図に示すように、情報記録再生装置１００のカセット装着部分８には、検知機構９が設けられる。検知機構９は、装着されたカセット方向に出没可能に構成されたピン部９ａを有する。ピン部９ａは、例えば、バネ等の弾性部材（図示省略）により図面上方（つまり、装着されたカセット方向に）に付勢されている。検知機構９は、例えば、光学センサや接触センサ等を含み、ピン部９ａの移動を検知して、装着されたカセットがクリーニングカセット１かどうかを検知する。情報記録再生装置１００は更に、コントローラ１０を備える。なお、図３に示すコントローラ１０は説明を容易にするために概念的に示したものであり、その位置は情報記録再生装置１００に設けられていればいずれの位置に設けられていてもよい。
【００１６】
クリーニングカセット１が情報記録再生装置１００に装着されると、ピン部９ａがクリーニングカセット１の識別孔７内に挿入される。この場合、ピン部９ａは移動しないため、検知機構９は、所定時間（例えば、カセットの装着検知後の所定時間）ピン部９ａの移動を検知せず、これにより所定の信号をコントローラ１０に送信する。
一方、通常の記録再生用テープカセット（図示省略）が装着される場合、通常の記録再生用テープカセットは識別孔を有しないため、装着されたテープカセットによりピン部９ａが付勢に抗して図面下方（つまり、装着されたカセットとは離れる方向）に押される。検知機構９は、ピン部９ａのこの移動を検知し、その検知信号をコントローラ１０に送信する。
なお、本実施形態は上記例に限定されない。例えば、通常の記録再生用テープカセットに識別孔を設けて、クリーニングカセット１には識別孔を設けないようにしてもよい。
【００１７】
図４は、本実施形態に係るクリーニング動作を実行するためのコントローラ１０の構成を示す。コントローラ１０（制御部の一例）は、検知機構９からの信号に応じてクリーニングカセットの装着を検知するクリーニングカセット装着検知部１１と、クリーニングカセット装着検知部１１からの信号に応じてクリーニング動作を実行するための制御指令を行うクリーニング動作制御部１２と、テープの巻取り動作を制御するテープ巻取り制御部１３とを有する。
【００１８】
クリーニングカセット装着検知部１１は、検知機構９からの所定の信号に基づき、装着されたカセットがクリーニングカセット１であることを検知する。
クリーニング動作制御部１２は、クリーニングカセット装着検知部１１による検知に応じ、光ピックアップ移動機構４１に対し光ピックアップ４の移動を指令する。具体的には、クリーニング動作制御部１２は、光ピックアップ移動機構４１により光ピックアップ４の焦点制御アクチュエータ４ａをクリーニングテープ３に対し近づく方向に移動させるよう制御する。クリーニング動作制御部１２はまた、テープ巻取り制御部１３からの信号に応じて光ピックアップ移動機構４１に対して光ピックアップの移動を指令する。具体的には、クリーニング動作制御部１２は、光ピックアップ移動機構４１により光ピックアップ４の焦点制御アクチュエータ４ａをクリーニングテープ３から離れる方向に移動させるよう制御する。
【００１９】
テープ巻取り制御部１３は、ユーザからの操作やクリーニング動作制御部１２からの指令信号に応じて、巻取リール駆動機構６１や繰出リール駆動機構２１を駆動させ、巻取リール６や繰出リール２を回転させる。テープ巻取り制御部１３はまた、ユーザからの操作や巻取リール駆動機構６１からの指令信号に応じて、クリーニング動作制御部１２に対し巻取リールの駆動停止（テープの繰り出し完了）を通知する。
【００２０】
光ピックアップ移動機構４１（移動機構の一例）は、クリーニング動作制御部１２の指令信号に応じて、光ピックアップ４を移動させる。具体的には、光ピックアップ４の焦点制御アクチュエータ４ａは、図６Ａに示すように、ガイドローラ５に架設されたクリーニングテープ３に対し接離方向に移動可能に構成されている。
巻取リール駆動機構６１（第１駆動機構の一例）は、テープ巻取り制御部１３の指令信号に応じて、巻取リール６をテープを繰り出す方向（ここでは、カセットのテープを巻取リール６により巻き取る方向）に回転させる。
【００２１】
繰出リール駆動機構２１（第２駆動機構の一例）は、テープ巻取り制御部１３の指令信号に応じて、繰出リール２をテープを巻き戻す方向（ここでは、巻取リール６のテープを繰出リール２に巻き取る方向）に回転させる。
コントローラ１０は、ＣＰＵ及びプログラム等を格納するメモリを含み、上記各部による動作を実行する。なお、コントローラ１０は、情報記録再生装置１００の他の動作処理（例えば、情報記録再生動作）を実行するためのプログラムを含んでいてもよい。
【００２２】
１．２  情報記録再生装置１００によるクリーニング動作
光ピックアップ４のクリーニング動作は、情報記録再生装置１００において情報が正しく記録再生できなかった場合等に実施される。情報記録再生装置１００からのクリーニング要求等を受けてユーザは、クリーニングカセット１を情報記録再生装置１００に装着する。図５は、カセットの装着が完了後クリーニング動作を行うまでの主にコントローラ１０による処理を示す。
ステップＳ１０１：上述の通り、クリーニングカセット１に設けられた識別孔７に対する検知機構９の検知動作により、検知機構９から所定の信号が送信され、クリーニングカセット装着検知部１１により、クリーニングカセット１が装着されたことが検知される。
なお、情報記録再生装置１００は、クリーニングカセット１の装着後、クリーニングテープ３を巻取リール６にまでローディングする。
【００２３】
ステップＳ１０２：クリーニングカセット装着検知部１１による検知に応じて、クリーニング動作制御部１２は、光ピックアップ移動機構４１を駆動する。具体的には、焦点制御アクチュエータ４ａは、図６Ｂに示す位置までクリーニングテープ３に近づく方向に移動する。そして、対物レンズ４ｂが焦点制御アクチュエータ４ａから突き出され、不織布で構成されたクリーニングテープ３に対物レンズ４ｂを接触させる。このとき、クリーニングテープ３が対物レンズ４ｂとの接触により多少撓むまで接触させることが望ましい。これにより、対物レンズ４ｂとクリーニングテープ３との接触面が大きくなるため、対物レンズ４ｂのクリーニングがより効果的に行われる。
【００２４】
ステップＳ１０３：クリーニング動作制御部１２により、光ピックアップ移動機構４１による焦点制御アクチュエータ４ａの移動が検知される。クリーニング動作制御部１２は、焦点制御アクチュエータ４ａが図６Ｂに示す位置まで至ったことを検知すると、移動を停止させる。
ステップＳ１０４：テープ巻取り制御部１３により、巻取リール駆動機構６１を駆動させ、巻取リール６を回転駆動させてテープの繰り出しを開始する。なお、この回転駆動は、ユーザ操作により開始してもよいし、クリーニング動作制御部１２によりステップＳ１０３の焦点制御アクチュエータ４ａの移動が検知されて自動的に開始してもよい。この繰出し動作により、クリーニングテープ３は対物レンズ４ｂに接触しながら繰り出され、対物レンズ４ｂの表面が摩擦によりクリーニングされる。
ステップＳ１０５：クリーニング動作制御部１２は、テープ巻取り制御部１３からの信号により、テープの繰出しが完了したか、或いは巻取り途中でユーザ操作によりテープ繰出しが停止されたかどうかを判定する。
【００２５】
ステップＳ１０６：テープ繰出しが完了した場合又はテープ繰出しが停止された場合は、クリーニング動作制御部１２からの指令信号に応じて、光ピックアップ移動機構４１が駆動される。具体的には、焦点制御アクチュエータ４ａは、図６Ａに示す位置までクリーニングテープ３から離れる方向に移動する。また、このとき、クリーニング動作制御部１２からの指令信号に応じて、テープ巻取り制御部１３は繰出リール駆動機構２１を回転駆動させ、巻取リール６に一時的に巻き取られたクリーニングテープ３を繰出リール２に巻き戻す。そして、ユーザ操作によりクリーニングカセット１を排出する動作を行い、クリーニング動作が完了する。
１．３  実施形態１の特徴
以上のように、本実施形態においては、情報記録再生装置１００において、コントローラ１０によってテープがクリーニングテープ３であることを検知し、その検知に応じてクリーニングテープ３と対物レンズ４ｂとを接触させるまでピックアップ移動機構４１を移動させ、クリーニングテープ３と対物レンズ４ｂとを接触させた状態で巻取リール駆動機構６１によりクリーニングテープ３の繰出しを実行し、クリーニング動作が行われる。これにより、植毛等の立体的な構造物をクリーニングテープ上に設ける必要がない。従って、レンズ側に突出物を備えないテープ状のクリーニングテープであっても、光ピックアップ４のクリーニングが可能となる。
【００２６】
２  実施形態２
以下、実施形態２に係る情報記録再生装置によるクリーニング動作について説明する。図７Ａ及び図７Ｂに示すように、実施形態２においては、光ピックアップではなく光ピックアップに対峙するテープを架設したガイドローラを光ピックアップ方向に移動させる機構を有する点において、実施形態１と異なる。
以下の説明においては、実施形態１と同様の構成及び機能については詳細な説明を省略し、同じ図面及び同じ符号を参照する。実施形態２に係る情報記録再生装置は、図１〜３に示す情報記録再生装置１００と同様の構成であるが、光ピックアップ移動機構を備えず、ガイドローラ移動機構を備える点において、異なる。
【００２７】
２．１  情報記録再生装置１００の構成
図８は、本実施形態に係るクリーニング動作を実行するためのコントローラ２１０の構成を示す。コントローラ２１０（制御部の一例）は、検知機構９からの信号に応じてクリーニングカセットの装着を検知するクリーニングカセット装着検知部２１１と、クリーニングカセット装着検知部２１１からの信号に応じてクリーニング動作を実行するための制御指令を行うクリーニング動作制御部２１２と、テープの巻取り動作を制御するテープ巻取り制御部２１３とを有する。
クリーニングカセット装着検知部２１１は、検知機構９からの所定の信号に基づき、装着されたカセットがクリーニングカセット１であることを検知する。
【００２８】
クリーニング動作制御部２１２は、クリーニングカセット装着検知部２１１による検知に応じ、ガイドローラ移動機構２５１（移動機構の一例）に対しガイドローラ５の移動を指令する。なお、ガイドローラ移動機構２５１は、複数のガイドローラ５のうち少なくとも光ピックアップ４に対峙する位置にあるガイドローラ（図７Ａ及び図７Ｂでは二つ）を移動させる機構であればよい。具体的には、クリーニング動作制御部２１２は、ガイドローラ駆動機構２５１を駆動して、図７Ｂに示すように、光ピックアップ４に対峙するクリーニングテープ３を架設した二つのガイドローラ５（テープ装着部の一例）を光ピックアップ４に近づく方向に移動させる。この移動により、図７Ｂに示すように、光ピックアップ４の対物レンズ４ｂが不織布で構成されたクリーニングテープ３に接触する。
なお、図７Ａ及び図７Ｂに示すように、二つのガイドローラ５間には、テープを挟んで光ピックアップ４の反対側に、テープを案内するための案内板２５３（例えば、放熱板）が設けられている場合がある。クリーニング動作においては、案内板２５３は移動せずガイドローラ５のみ移動させ、ガイドローラ移動後対物レンズ４ｂが案内板２５３に衝突しないようにする。
【００２９】
クリーニング動作制御部２１２はまた、テープ巻取り制御部２１３からの信号に応じてガイドローラ移動機構２５１に対して上記ガイドローラ５の移動を指令する。具体的には、クリーニング動作制御部２１２は、ガイドローラ移動機構２５１によりガイドローラ５をテープ３から離れる方向に移動させるよう制御する。
テープ巻取り制御部２１３は、ユーザからの操作やクリーニング動作制御部２１２からの指令信号に応じて、巻取リール駆動機構２６１や繰出リール駆動機構２２１を駆動させ、巻取リール６や繰出リール２を回転させる。テープ巻取り制御部２１３はまた、ユーザからの操作や巻取リール駆動機構２６１からの指令信号に応じて、クリーニング動作制御部２１２に対し巻取リールの駆動停止（テープの繰り出し完了）を通知する。
【００３０】
ガイドローラ移動機構２５１は、例えばスライド機構を含み、クリーニング動作制御部２１２の指令信号に応じて、ガイドローラ５を移動させる。具体的には、光ピックアップ４に対峙するクリーニングテープ３を架設した二つのガイドローラ５を光ピックアップ４に近づく方向に移動させる。
巻取リール駆動機構２６１（第１駆動機構の一例）は、テープ巻取り制御部２１３の指令信号に応じて、巻取リール６をテープを繰り出す方向（ここでは、カセットのテープを巻取リール６により巻き取る方向）に回転させる。
【００３１】
繰出リール駆動機構２２１（第２駆動機構の一例）は、テープ巻取り制御部２１３の指令信号に応じて、繰出リール２をテープを巻き戻す方向（ここでは、巻取リール６のテープを繰出リール２に巻き取る方向）に回転させる。
コントローラ２１０は、ＣＰＵ及びプログラム等を格納するメモリを含み、上記各部による動作を実行する。なお、コントローラ２１０は、情報記録再生装置１００の他の動作処理（例えば、情報記録再生動作）を実行するためのプログラムを含んでいてもよい。
【００３２】
２．２  情報記録再生装置１００によるクリーニング動作
図９は、カセットの装着が完了後クリーニング動作を行うまでの主にコントローラ２１０による処理を示す。
ステップＳ２０１：実施形態１と同様に、クリーニングカセット１に設けられた識別孔７に対する検知機構９の検知動作により、検知機構９から所定の信号が送信され、クリーニングカセット装着検知部２１１により、クリーニングカセット１が装着されたことが検知される。
なお、情報記録再生装置１００は、クリーニングカセット１の装着後、クリーニングテープ３を巻取リール６にまでローディングする。
【００３３】
ステップＳ２０２：クリーニングカセット装着検知部２１１による検知に応じて、クリーニング動作制御部２１２は、ガイドローラ移動機構２５１を駆動する。具体的には、二つのガイドローラ５を、図６Ｂに示す位置までクリーニングテープ３に近づく方向に移動させる。そして、光ピックアップ４の対物レンズ４ｂが、不織布で構成されたクリーニングテープ３に接触する。このとき、クリーニングテープ３が対物レンズ４ｂとの接触により多少撓むまで接触させることが望ましい。これにより、対物レンズ４ｂとクリーニングテープ３との接触面が大きくなるため、対物レンズ４ｂのクリーニングがより効果的に行われる。
【００３４】
ステップＳ２０３：クリーニング動作制御部２１２により、ガイドローラ移動機構２５１によるガイドローラ５の移動が検知される。クリーニング動作制御部２１２は、ガイドローラ５が図６Ｂに示す位置まで至ったことを検知すると、移動を停止させる。
ステップＳ２０４：テープ巻取り制御部２１３により、巻取リール駆動機構２６１を駆動させ、巻取リール６を回転駆動させてテープの繰り出しを開始する。なお、この回転駆動は、ユーザ操作により開始してもよいし、クリーニング動作制御部２１２によりステップＳ２０３のガイドローラ５の移動が検知されて自動的に開始してもよい。この繰出し動作により、クリーニングテープ３は対物レンズ４ｂに接触しながら繰り出され、対物レンズ４ｂの表面が摩擦によりクリーニングされる。
ステップＳ２０５：クリーニング動作制御部２１２は、テープ巻取り制御部２１３からの信号により、テープの繰出しが完了したか、或いは巻取り途中でユーザ操作によりテープ繰出しが停止されたかどうかを判定する。
【００３５】
ステップＳ２０６：テープ繰出しが完了した場合又はテープ繰出しが停止された場合は、クリーニング動作制御部２１２からの指令信号に応じて、ガイドローラ移動機構２５１が駆動される。具体的には、ガイドローラ５は、図７Ａに示す位置までクリーニングテープ３から離れる方向に移動する。また、このとき、クリーニング動作制御部２１２からの指令信号に応じて、テープ巻取り制御部２１３は繰出リール駆動機構２２１を回転駆動させ、巻取リール６に一時的に巻き取られたクリーニングテープ３を繰出リール２に巻き戻す。そして、ユーザ操作によりクリーニングカセット１を排出する動作を行い、クリーニング動作が完了する。
２．３  実施形態２の特徴
以上のように、本実施形態に係る情報記録再生装置１００において、コントローラ２１０によってテープがクリーニングテープ３であることを検知し、その検知に応じてクリーニングテープ３と対物レンズ４ｂとを接触させるまでガイドローラ移動機構２５１を移動させ、クリーニングテープ３と対物レンズ４ｂとを接触させた状態で巻取リール駆動機構２６１によりクリーニングテープ３の繰出しを実行し、クリーニング動作が行われる。これにより、植毛等の立体的な構造物をクリーニングテープ上に設ける必要がない。従って、レンズ側に突出物を備えないテープ状のクリーニングテープ３であっても、光ピックアップ４のクリーニングが可能となる。
また、本実施形態においては、テープを挟んで光ピックアップ４の反対側に、テープを案内するための案内板２５３（例えば、放熱板）が設けられている場合であっても、クリーニング動作においては案内板２５３は移動させずガイドローラ５のみ移動させる。これにより、ガイドローラ移動後対物レンズ４ｂが案内板２５３に衝突しないため、クリーニング動作中に光ピックアップ４の対物レンズ４ｂを傷つけることを防止できる。
【００３６】
２．４  実施形態２の変形例
上記実施形態においては、ガイドローラ駆動機構２５１は、光ピックアップ４に対向するようにクリーニングテープ３を架設した二つのガイドローラ５を光ピックアップ４に近づく方向に移動させる構成を有するが、これに限定されない。例えば、クリーニングテープ３を架設した他のガイドローラ５を共にスライド移動させる構成であってもよいし、巻取リール６の装着部分やカセット装着部分を含めた部分の一部又は全部をスライド移動させる構成であってもよい。
【００３７】
３  その他実施形態
以上のように、実施形態１及び２について説明してきたが、本発明は上記の実施形態に限定されないのは勿論である。本発明の趣旨を逸脱しない範囲で実施変更することができる。例えば、次のようなバリエーションが考えられる。
上記実施形態においては、一つの光ピックアップを有する情報記録再生装置について説明したが、光ピックアップの数は２以上であってもよく、チャンネル数、トラック数を制限するものではない。
また、クリーニングテープ３の素材は不織布を用いたが、これに限定するものではない。研磨テープや他のクリーニング方式を用いても良い。
【００３８】
また、クリーニングカセット１の識別には認識穴を用いたが、これに限定するものではなく、メモリーインカセットの信号に応じた識別方法、光学的に読み取り可能な識別情報による識別等、他の識別方法を用いてもよい。或いは、ユーザ操作による情報入力によりクリーニングカセットであることを識別させるものであってもよい。
また、上記実施形態においては、クリーニングカセット１を装着してクリーニング動作を行っていたが、これに限定されない。例えば、通常の記録再生用のテープの繰り出し始め部分又は繰り出し最後の部分に所定長のクリーニングテープ部分を形成し、通常の記録再生動作を行う前又は後にクリーニングできるようにしてもよい。この場合、例えば、光ピックアップ４側でクリーニングテープ部分を検知後、上記実施形態と同様に焦点制御アクチュエータ４ａ又はガイドローラ５を移動させるようにしてもよい。
【００３９】
また、情報再生記録装置１００は、実施形態１及び実施形態２の双方を採用したものであってもよい。つまり、情報再生記録装置１００は、光ピックアップ４の移動機構及びガイドローラ移動機構２５１の双方を備えるものであってもよい。
【産業上の利用可能性】
【００４０】
本発明は、例えばサーバー等のデータをバックアップするテープストリーマに適用する情報記録再生装置の光ピックアップのクリーニングに有用である。また、テープ状のクリーニングテープに有用である。
【符号の説明】
【００４１】
１      クリーニングカセット
２      繰出リール
３      クリーニングテープ（クリーニングテープの一例）
４      光ピックアップ（光ピックアップの一例）
４ａ    焦点制御アクチュエータ
４ｂ    対物レンズ（対物レンズの一例）
５      ガイドローラ（テープ装着部の一例）
６      巻取リール
７      識別孔
８      カセット装着部
９      検知機構
１０    コントローラ（制御部の一例）
１１    クリーニングカセット装着検知部
１２    クリーニング動作制御部
１３    テープ巻取り制御部
２１    繰出リール駆動機構（第２駆動機構の一例）
４１    光ピックアップ移動機構（移動機構の一例）
６１    巻取リール駆動機構（第１駆動機構の一例）
２１０  コントローラ（制御部の一例）
２１１  クリーニングカセット装着検知部
２１２  クリーニング動作制御部
２１３  テープ巻取り制御部
２２１  繰出リール駆動機構（第２駆動機構の一例）
２５１  ガイドローラ移動機構（移動機構の一例）
２５３  案内板
２６１  巻取リール駆動機構（第１駆動機構の一例）
【手続補正２】
【補正対象書類名】特許請求の範囲
【補正対象項目名】全文
【補正方法】変更
【補正の内容】
【特許請求の範囲】
【請求項１】
テープ状媒体に対し光学的に情報を記録及び再生する情報記録再生装置であって、
対物レンズを有し、レーザ光によりテープ状媒体に情報を記録し又はテープ状媒体上の情報を再生する光ピックアップと、
テープ状媒体を前記対物レンズに対向するように装着するテープ装着部と、
前記テープ状媒体がクリーニングテープであることを検知する制御部と、
前記制御部の検知に応じて、前記テープ状媒体と前記対物レンズとを接触させるように動作する移動機構と、
前記テープ状媒体と前記対物レンズとを接触させた状態で、前記テープ状媒体の繰出しを実行する第１駆動機構と、
を備える、情報記録再生装置。
【請求項２】
前記移動機構は、前記対物レンズを移動させることにより、前記テープ状媒体と前記対物レンズとを接触させる、
請求項１に記載の情報記録再生装置
【請求項３】
前記移動機構は、前記テープ装着部を移動させることにより、前記テープ状媒体と前記対物レンズとを接触させる、
請求項１に記載の情報記録再生装置
【請求項４】
前記移動機構は、前記テープ状媒体と前記対物レンズとを接触させる位置と前記テープ状媒体に対する情報記録再生可能な位置との間を、前記対物レンズ又は前記テープ装着部の少なくとも一方を移動させる、
請求項１に記載の情報記録再生装置。
【請求項５】
前記移動機構は、前記テープ状媒体が前記対物レンズとの接触により撓むまで前記テープ状媒体と前記対物レンズとを接触させる、
請求項１に記載の情報記録再生装置。
【請求項６】
請求項１記載の情報記録再生装置の前記光ピックアップの対物レンズに接触することにより前記対物レンズをクリーニングするクリーニングテープ。
【請求項７】
少なくともテープ表面の素材が不織布で形成されている、
請求項６に記載のクリーニングテープ。
【請求項８】
対物レンズを有しテープ状媒体に対し光学的に情報を記録及び再生する光ピックアップを備える情報記録再生装置を用いて、前記対物レンズをクリーニングする光ピックアップクリーニング方法であって、
テープ状媒体がクリーニングテープであることを検知し、
前記テープ状媒体を前記対物レンズに対向するように装着させ、
前記検知に応じて、前記テープ状媒体と前記対物レンズとを接触させる動作を行い、
前記テープ状媒体と前記対物レンズとを接触させた状態で、前記テープ状媒体の繰出しを行う、
光ピックアップクリーニング方法。
【手続補正３】
【補正対象書類名】図面
【補正対象項目名】全図
【補正方法】変更
【補正の内容】
【図１】
2013011621.tif 000014
【図２】
2013011621.tif 000015
【図３】
2013011621.tif 000016
【図４】
2013011621.tif 000017
【図５】
2013011621.tif 000018
【図６Ａ】
2013011621.tif 000019
【図６Ｂ】
2013011621.tif 000020
【図７Ａ】
2013011621.tif 000021
【図７Ｂ】
2013011621.tif 000022
【図８】
2013011621.tif 000023
【図９】
2013011621.tif 000024
【国際調査報告】
2013011621.tif 000025
2013011621.tif 000026